(57)【要約】  本出願に係る電子機器１は、表示部２０と、ユーザの視線の移動動作に基づいて、表示部２０の表示領域２１におけるユーザの視線位置を推定する制御部５０と、を備える。制御部５０は、表示領域２１にオブジェクト２０１である第１画像が表示された状態で、視線位置が、オブジェクト２０１である第１画像から離れる方向に向かって、第１画像の領域から所定距離ｄ１だけ離れたことを契機に、オブジェクト２０１である第１画像を非表示にする。
2016121883.tif 000002
【特許請求の範囲】
【請求項１】
表示部と、
ユーザの視線の移動動作に基づいて、前記表示部の表示領域におけるユーザの視線位置を推定する制御部と、を備え、
前記制御部は、前記表示領域に第１画像が表示された状態で、前記視線位置が、該第１画像から離れる方向に向かって、前記第１画像の領域から所定距離だけ離れたことを契機に、該第１画像を非表示にする
電子機器。
【請求項２】
前記制御部は、前記視線位置が第１方向へ移動したことを契機に、前記表示領域における前記第１方向側に前記第１画像を表示する
請求項１に記載の電子機器。
【請求項３】
前記制御部は、前記第１画像が表示されてから所定時間後に該第１画像を非表示にする
請求項２に記載の電子機器。
【請求項４】
第１表示領域と第２表示領域とを有する表示部と、
ユーザの視線の移動動作に基づいて、前記表示部におけるユーザの視線位置を推定する制御部と、を備え、
前記制御部は、前記第２表示領域に第１画像が表示された状態で、前記視線位置が前記第２表示領域から所定距離だけ離れたことを契機に、該第１画像を非表示にする
電子機器。
【請求項５】
前記制御部は、前記視線位置が前記第１表示領域から前記第２表示領域へ移動したことを契機に、該第２表示領域に第１画像を表示する
請求項４に記載の電子機器。
【請求項６】
前記制御部は、前記第１画像が表示されてから所定時間後に該第１画像を非表示にする
請求項５に記載の電子機器。
【請求項７】
前記制御部は、前記表示領域における前記第１画像の領域以外の領域に、該第１画像に関連する第２画像を表示する
請求項１から６の何れか一項に記載の電子機器。
【請求項８】
前記所定距離は、前記第２画像の大きさに基づいて設定される
請求項７に記載の電子機器。
【請求項９】
前記所定距離は、前記第２画像として表示される表示内容に応じて変更される
請求項８に記載の電子機器。
【請求項１０】
前記所定距離は、前記表示内容が文字情報を所定割合以上含む場合に、前記表示内容が文字情報を所定割合未満しか含まない場合と比較して、長く設定される
請求項９に記載の電子機器。
【請求項１１】
前記所定距離は、ユーザによって設定可能である
請求項１から７の何れか一項に記載の電子機器。
【請求項１２】
前記制御部は、前記表示領域における前記第１画像の領域以外の領域に、該第１画像に関連する第２画像を表示し、
前記第１画像の領域中において、前記視線位置が前記第１方向と交差する方向へ移動したことを契機に、前記第２画像の表示内容を変更する
請求項２に記載の電子機器。
【請求項１３】
表示部と、
ユーザの視線の移動動作に基づいて、前記表示部の表示領域におけるユーザの視線位置を推定する制御部と、を備え、
前記制御部は、前記表示領域中において、第１範囲と、該第１範囲を包含しかつ該第１範囲よりも大きい第２範囲と、を設定し、
前記第１範囲内に前記第１画像が表示された状態で、前記視線位置が前記第２範囲外へ移動したことを契機に、該第１画像を非表示にする
電子機器。
【請求項１４】
前記制御部は、前記視線位置が前記第１範囲外から該第１範囲内へ移動したことを契機に、該第１範囲内に第１画像を表示する
請求項１３に記載の電子機器。
【請求項１５】
表示部と、
ユーザの視線の移動動作に基づいて、前記表示部の表示領域におけるユーザの視線位置を推定する制御部と、を備え、
前記制御部は、前記視線位置が第１方向へ第１距離移動したことを契機に、前記表示領域における前記第１方向側に第１画像を表示し、
前記第１画像が表示された状態で、前記視線位置が前記第１方向とは反対側の第２方向へ前記第１距離よりも長い第２距離移動したことを契機に該第１画像を非表示にする
電子機器。
【請求項１６】
前記制御部は、前記第１画像が表示されてから所定時間後に該第１画像を非表示にする
請求項１４又は１５に記載の電子機器。
【請求項１７】
第１画像を表示する表示部と、
ユーザの視線の移動動作に基づいて、前記表示部の表示領域におけるユーザの視線位置を推定する制御部と、を備え、
前記制御部は、前記第１画像の領域が前記表示領域に対して占める割合が所定値未満の場合に、前記視線位置が該第１画像の領域から所定距離だけ離れたことを契機に、該第１画像を非表示にする
電子機器。
【請求項１８】
前記制御部は、前記第１画像の領域が前記表示領域に対して占める割合が所定値以上の場合に、前記視線位置が該第１画像の領域内から領域外へ移動したことを契機に、該第１画像を非表示にする
請求項１７に記載の電子機器。
【請求項１９】
前記第１画像の領域が前記表示部の表示領域に対して占める割合が所定値以上の場合とは、前記第１画像の領域が前記表示部の表示領域に対して占める割合が５０％以上でありかつ前記表示領域の中心領域を含んでいる場合である
請求項１８に記載の電子機器。
【請求項２０】
前記制御部は、前記視線位置が所定方向へ移動したことを契機に、前記表示領域における前記所定方向側に第１画像を表示する
請求項１７から１９の何れか一項に記載の電子機器。
【請求項２１】
前記制御部は、前記第１画像が表示されてから所定時間後に該第１画像を非表示にする
請求項２０に記載の電子機器。
【発明の詳細な説明】
【技術分野】
【０００１】
本出願は、ユーザの目の動作に応じて、所定の入力を行うことが可能な電子機器に関する。
【背景技術】
【０００２】
上記の電子機器として、近年、画像およびマウスを表示する表示部と、ユーザの視線方向を検出する視線検出装置と、検出された視線方向に表示部に表示されているマウスを移動させる表示制御部と、を備えるヘッドマウントディスプレイが知られている（例えば、特許文献１参照）。
【先行技術文献】
【特許文献】
【０００３】
【特許文献１】特開２０１１−１２５６９２号公報
【発明の概要】
【発明が解決しようとする課題】
【０００４】
特許文献１に記載のヘッドマウントディスプレイにおいては、入力の際の操作性をさらに向上させる新規な入力態様の提案が望まれる。【０００５】
本出願の目的は、目の動作に応じて、所定の入力を行うことが可能な電子機器において、操作性がさらに向上された電子機器を提供することにある。
【課題を解決するための手段】
【０００６】
態様の一つに係る電子機器は、表示部と、ユーザの視線の移動動作に基づいて、前記表示部の表示領域におけるユーザの視線位置を推定する制御部と、を備え、前記制御部は、前記表示領域に第１画像が表示された状態で、前記視線位置が、該第１画像から離れる方向に向かって、前記第１画像の領域から所定距離だけ離れたことを契機に、該第１画像を非表示にするものである。【０００７】
態様の一つに係る電子機器は、第１表示領域と第２表示領域とを有する表示部と、ユーザの視線の移動動作に基づいて、前記表示部におけるユーザの視線位置を推定する制御部と、を備え、前記制御部は、前記第２表示領域に第１画像が表示された状態で、前記視線位置が前記第２表示領域から所定距離だけ離れたことを契機に、該第１画像を非表示にするものである。【０００８】
態様の一つに係る電子機器は、表示部と、ユーザの視線の移動動作に基づいて、前記表示部の表示領域におけるユーザの視線位置を推定する制御部と、を備え、前記制御部は、前記表示領域中において、第１範囲と、該第１範囲を包含しかつ該第１範囲よりも大きい第２範囲と、を設定し、前記第１範囲内に前記第１画像が表示された状態で、前記視線位置が前記第２範囲外へ移動したことを契機に、該第１画像を非表示にするものである。【０００９】
態様の一つに係る電子機器は、表示部と、ユーザの視線の移動動作に基づいて、前記表示部の表示領域におけるユーザの視線位置を推定する制御部と、を備え、前記制御部は、前記視線位置が第１方向へ第１距離移動したことを契機に、前記表示領域における前記第１方向側に第１画像を表示し、前記第１画像が表示された状態で、前記視線位置が前記第１方向とは反対側の第２方向へ前記第１距離よりも長い第２距離移動したことを契機に該第１画像を非表示にするものである。【００１０】
態様の一つに係る電子機器は、第１画像を表示する表示部と、ユーザの視線の移動動作に基づいて、前記表示部の表示領域におけるユーザの視線位置を推定する制御部と、を備え、前記制御部は、前記第１画像の領域が前記表示領域に対して占める割合が所定値未満の場合に、前記視線位置が該第１画像の領域から所定距離だけ離れたことを契機に、該第１画像を非表示にするものである。
【図面の簡単な説明】
【００１１】
【図１】図１は、一実施形態に係る電子機器１の概略構成の一例を示す図である。
【図２】図２は、一実施形態に係る電子機器１の後ろ側の一例を示した図である。
【図３】図３は、一実施形態に係る他の電子機器１の後ろ側の一例を示した図である。
【図４】図４は、一実施形態に係る一実施形態に係る電子機器１の機能ブロックの一例を示す図である。
【図５】図５は、一実施形態に係るユーザの所定の目の動作とそれに対応付けられた処理パターンの組み合わせの一例を示す図である。
【図６Ａ】図６Ａは、電子機器１の表示部２０の表示態様の一例を示す図である。
【図６Ｂ−１】図６Ｂ−１は、電子機器１の表示部２０の表示態様の一例を示す図である。
【図６Ｂ−２】図６Ｂ−２は、電子機器１の表示部２０の表示態様の一例を示す図である。
【図６Ｃ】図６Ｃは、電子機器１の表示部２０の表示態様の一例を示す図である。
【図７Ａ】図７Ａは、電子機器１の表示部２０の表示態様の他の一例を示す図である。
【図７Ｂ】図７Ｂは、電子機器１の表示部２０の表示態様の他の一例を示す図である。
【図８Ａ】図８Ａは、電子機器１の表示部２０の表示態様の他の一例を示す図である。
【図８Ｂ】図８Ｂは、電子機器１の表示部２０の表示態様の他の一例を示す図である。
【図９Ａ】図９Ａは、電子機器１の表示部２０の表示態様の他の一例を示す図である。
【図９Ｂ】図９Ｂは、電子機器１の表示部２０の表示態様の他の一例を示す図である。
【図１０Ａ】図１０Ａは、電子機器１の表示部２０の表示態様の他の一例を示す図である。
【図１０Ｂ】図１０Ｂは、電子機器１の表示部２０の表示態様の他の一例を示す図である。
【図１０Ｃ】図１０Ｃは、電子機器１の表示部２０の表示態様の他の一例を示す図である。
【図１０Ｄ】図１０Ｄは、電子機器１の表示部２０の表示態様の他の一例を示す図である。
【図１１Ａ】図１１Ａは、電子機器１の別の形状の一例を示す図である。
【図１１Ｂ】図１１Ｂは、電子機器１の別の形状の一例を示す図である。
【発明を実施するための形態】
【００１２】
以下、本出願を実施するための実施形態を、本出願につき図面を参照しつつ詳細に説明する。なお、以下の説明により本出願が限定されるものではない。また、以下の説明における構成要素には、当業者が容易に想定できるもの、実質的に同一のもの、いわゆる均等の範囲のものが含まれる。
【００１３】
図１は、一実施形態に係る電子機器１の概略構成の一例を示す図である。図１に示す電子機器１は、ユーザの頭部に装着可能な装着部１０と、装着部１０に取付けられてユーザの眼前に配置される表示部２０と、装着部１０の一部に設けられる操作部３０と、を備える。表示部２０は、該表示部２０の一部又は全部の領域に、ユーザが視認できるように画像を表示する。
【００１４】
電子機器１は、図１に示すように、眼鏡形状或いはゴーグル形状である。電子機器１の装着部１０は、正面部１１と、側面部１２、１３とからなる。装着部１０がユーザに装着されたとき、正面部１１は、ユーザの眼前に配置され、側面部１２、１３は、ユーザの側頭部に沿って配置される。
【００１５】
正面部１１は、上述したように、ユーザに装着された場合、ユーザの眼前に配置される部分である。正面部１１は、ブリッジと、ブリッジを隔てて左右に設けられる二つの縁部、いわゆるリムとが一体となって構成されている。ブリッジは、電子機器１の装着時にユーザの鼻と接する部分であり、ユーザの鼻に沿って凹んだ形状である。縁部は、表示部２０を支持している。また、縁部は、側面部１２、１３と連結している。
【００１６】
側面部１２、１３は、上述したようにユーザに装着された場合、ユーザの両側頭部に沿って配置される部分、いわゆる眼鏡の弦の部分である。側面部１２、１３は、一方の端部が正面部１１の一方の端部と連結している。ここで、正面部１１と連結される側面部１２の端部である眼鏡の弦の根元部分には、ユーザの使用感に合わせるための、圧力調整用のバネや角度を変更するアジャスタが配置されている。
【００１７】
表示部２０は、ユーザの左右の目の眼前に設けられる一対の表示部である第１表示部２０ａと第２表示部２０ｂとを有している。表示部２０は、第１表示部２０ａ、第２表示部２０ｂの周囲が、正面部１１の縁部によって囲われている。
【００１８】
表示部２０は、例えば、液晶ディスプレイ（ＬＣＤ：Ｌｉｑｕｉｄ  Ｃｒｙｓｔａｌ  Ｄｉｓｐｌａｙ）や、有機ＥＬ（Ｏｒｇａｎｉｃ  Ｅｌｅｃｔｒｏ−Ｌｕｍｉｎｅｓｃｅｎｃｅ）パネルなどで構成された表示パネルを用いることができる。ここで、表示部２０は、表示パネルを半透明または透明の板状部材で作製することが好ましい。表示部２０の表示パネルを半透明または透明の板状部材で作製することで、ユーザが表示部２０を介して景色を見ることができる。
【００１９】
操作部３０は、側面部１２と側面部１３の其々に設けられる。操作部３０は、接触を検出するタッチセンサ３０ａ、３０ｂである。タッチセンサ３０ａ、３０ｂには、例えば、静電容量式、超音波式、感圧式、抵抗膜式、光検知式等、各種方式のセンサが用いられ得る。尚、電子機器１において、操作部３０は、タッチセンサ３０ａ、３０ｂの何れか一方のみを有する構成であってもよい。
【００２０】
図２は、一実施形態に係る電子機器１の後ろ側の一例を示した図である。電子機器１は、後述する検出部４０としての筋電センサを備える。
【００２１】
筋電センサは、ユーザの目の周辺に接触可能な位置に設けられる電極を有する。筋電センサは、例えばまばたきや視線移動を含むユーザの目の動作に伴って生じる筋電位を検出する。ここで、筋電位を測定するための測定電極として、ユーザの鼻の左右側部のそれぞれに接触可能な第１電極４０ａと第２電極４０ｂとが、装着部１０のブリッジから延設されるノーズパッドに設けられる。また、基準電極として、ユーザの鼻の中央部に接触可能な第３電極４０ｃがブリッジに設けられる。このような構成とすることにより、筋電センサは、例えば、ユーザが視線を所定の方向に移動させた、或いは、まばたきを行ったときに、第３電極４０ｃを基準とした第１電極４０ａ及び第２電極４０ｂの電位の変化を検出する。
【００２２】
筋電センサに用いられる基準電極としての第３電極４０ｃは、ブリッジとは異なる位置に設けられていてもよい。例えば、第３電極４０ｃは、側面部１２或いは側面部１３における、正面部１１とは反対側の端部近傍に設けてられてもよい。なお、電極の配置構成はこれらに限定されるものではなく、公知の種々の技術が適用されてよい。
【００２３】
また、図２において、電子機器１が検出部４０として筋電センサを備える構成を示したが検出部４０は筋電センサに限定されない。
【００２４】
図３は、一実施形態に係る電子機器１の後ろ側の一例を示した図である。電子機器１は、検出部４０としての撮像部を備える。
【００２５】
撮像部は、電子機器１の正面部１１において、ユーザの顔面に対面するように設けられる。撮像部は、正面部１１の左右両端部の近傍に其々設けられる。其々の撮像部は、４０ｄ、４０ｅとする。撮像部は、撮像レンズ、絞り、ズームレンズ、及びフォーカスレンズ等により構成されるレンズ系、レンズ系に対してフォーカス動作やズーム動作を行わせる駆動系、レンズ系で得られる撮像光を光電変換して撮像信号を生成する固体撮像素子アレイ等を有する。固体撮像素子アレイは、例えばＣＣＤ（Ｃｈａｒｇｅ  Ｃｏｕｐｌｅｄ  Ｄｅｖｉｃｅ）センサアレイや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサアレイにより実現されてよい。
【００２６】
次に、図４を参照して、電子機器１の機能について説明する。図４は、一実施形態に係る電子機器１の機能ブロックの一例を示す図である。図４に示すように、電子機器１は、表示部２０、操作部３０、検出部４０、制御部５０、記憶部６０、及び通信部７０を備える。
【００２７】
表示部２０は、制御部５０による制御に基づいて映像や画像を表示する。なお、表示部２０は、ユーザが視認できる画像を表示することができれば、つまりユーザに画像を見せることができればよく、種々の構成を用いることができる。例えば、表示部２０としては、プロジェクタのように表示パネル或いはスクリーンに画像を投影する構成としてもよい。なお、画像を投影させる場合、レーザ光を走査させて画像を投影する構成としてもよいし、液晶パネルに光を透過させて画像を投影する構成としてもよい。また、表示部２０からユーザに向けて直接レーザ光を照射することでユーザに対して画像を表示する構成としてもよい。
【００２８】
操作部３０は、前述したように、例えば、電子機器１の側面部１２、１３に設けられるタッチセンサである。操作部３０は、側面部１２、１３においてユーザの指が触れた位置を入力位置として検出する。操作部３０は、検出した入力位置に応じた信号を制御部５０へ出力する。これにより、ユーザは、電子機器１に対して種々のタッチ操作を行うことができる。タッチ操作の種類として、例えば、側面部１２、１３に指を接触させた後、短時間のうちに指を離す操作や、側面部１２、１３を指で任意の方向、例えば、側面部の長手方向に弾く操作や、側面部１２、１３に指を接触させたまま側面部の長手方向へ移動させる操作等が挙げられる。なお、指を移動させる方向はこれに限らず、側面部の短手方向への指の接触移動を所定の操作として適用してもよい。また、側面部の長手方向への指の接触移動と側面部の短手方向への指の移動とを併せて検出してもよい。また、側面部が複数の面から構成される場合には、該複数の面に対する複数の接触に基づいて、例えば、複数の接触位置が互いに近づく方向へ移動すること等に基づいて、所定の操作を検出してもよい。
【００２９】
なお、操作部３０は、タッチセンサに限定されず、例えば、単一または複数のボタンであってもよい。
【００３０】
検出部４０は、該検出部４０が筋電センサである場合、前述したように、ユーザが視線を所定の方向に移動させた、或いは、まばたきを行ったときの筋電位の変化を検出する。筋電センサは、検出された筋電位変化の情報を制御部５０に出力する。
【００３１】
一方、検出部４０が、撮像部である場合、撮像部は、ユーザの目の撮影を行う。撮像部は、撮影して取得された画像データ、或いは、所定の時間、例えば１／１５秒毎に撮影して取得された一連の画像データを動画データとして制御部５０に出力する。
【００３２】
制御部５０は、例えば、マイクロプロセッサユニット（ＭＰＵ：Ｍｉｃｒｏ  Ｐｒｏｃｅｓｓｉｎｇ  Ｕｎｉｔ）で構成されている。制御部５０は、ソフトウェアで指示された手順にしたがって上述した電子機器１の各種の処理を実行する。すなわち、制御部５０は、オペレーティングシステムプログラムやアプリケーションのプログラム等から命令コードを順次読み込んで処理を実行する。このように、制御部５０は、各部の動作を制御し、各部に必要なデータ、例えば、表示部２０に映像や画像を表示させるための制御信号、或いは画像信号を出力する。
【００３３】
また、制御部５０は、検出部４０としての筋電センサから出力された筋電位変化の情報に基づいて、ユーザの目の動作を推定、或いは検出する。目の動作としては、まばたきの有無、或いは、視線方向、視線位置の変化等も含む視線移動の有無等が該当する。
【００３４】
或いは、制御部５０は、検出部４０としての撮像部から出力された画像データ或いは動画データに含まれる被写体である目を抽出し、被写体である目の動きを解析することで、ユーザの目の動作を推定する。目の動作としては、まばたきの有無、或いは、視線方向、視線位置の変化等も含む視線移動の有無等が該当する。例えば、制御部５０は、画像データ或いは動画データに含まれる被写体である目を抽出し、さらに黒目領域の中心を算出する等の所定の処理を施すことによって視線移動の有無を推定する。なお、画像から被写体を抽出する方法としては、種々の画像処理技術を用いることができる。
【００３５】
記憶部６０は、例えば、不揮発性の記憶デバイス、例えば、ＲＯＭ（Ｒｅａｄ  Ｏｎｌｙ  Ｍｅｍｏｒｙ）等の不揮発性半導体メモリ、ハードディスク装置等や、読み書き可能な記憶デバイス、例えば、ＳＲＡＭ（Ｓｔａｔｉｃ  Ｒａｎｄｏｍ  Ａｃｃｅｓｓ  Ｍｅｍｏｒｙ）、ＤＲＡＭ（Ｄｙｎａｍｉｃ  Ｒａｎｄｏｍ  Ａｃｃｅｓｓ  Ｍｅｍｏｒｙ）等で構成され、各種プログラムを記憶する。記憶部６０は、検出部４０から出力された情報から推定され得るユーザの目の動作パターンと、各動作パターンに対応付けられた複数の表示処理パターンとを予め記憶している。
【００３６】
通信部７０は、アンテナとＲＦ回路部とから成り、制御部５０による制御に基づいて、外部装置と例えば電話通信や情報通信を含む通信を行う。
【００３７】
以下、電子機器１がユーザの目の所定動作を検出することで、該動作に対応付けられた所定の処理を行う、即ち、所定操作がなされる例を、図５〜図１０Ｄを参照して説明する。図５は、一実施形態に係るユーザの所定の目の動作とそれに対応付けられた処理パターンの組み合わせの一例を示す図である。図５は、記憶部６０に記憶される、ユーザの所定の目の動作とそれに対応付けられた処理パターンの組み合わせの一例を示している。図６Ａ〜図１０Ｄは、電子機器１において、図５に例示された所定の処理パターンに基づいた表示部２０の表示態様の一例を示す図である。
【００３８】
パターン１において、ユーザは、正視した状態にあり、目の所定の動作を行っていない。この場合、制御部５０は、ユーザによる入力操作があったことを認識せず、従って特に処理は行わない。
【００３９】
パターン２における「視線の所定方向への移動」は、例えば、表示部２０に表示される所定オブジェクトを表示画像中において所定方向へ移動させる処理（操作）に対応付けられる。また、「視線の所定方向への移動」は、例えば、表示画像中における所定の位置を指定する処理に対応付けられてもよい。また、「視線の所定方向への移動」は、例えば、表示部２０の表示領域に新たな画像を表示させる処理に対応付けられてもよい。
【００４０】
パターン３における「視線の所定方向への移動後に注視」する動作は、例えば、電子機器１に所定の処理を実行させる操作に対応付けられる。例えば、ユーザの視線位置が表示部２０に表示された所定の操作アイコンと重なる位置に移動した後に、所定時間、例えば１秒以上継続して操作アイコンと重なっている場合に、操作アイコンが選択されたものと見なされ、操作アイコンに対応付けられた所定の処理を実行するようにする。
【００４１】
パターン４における「複数回の瞬き」を行う動作は、例えば、電子機器１に所定の処理を実行させる操作に対応付けられる。例えば、ユーザの視線位置が表示部２０に表示された所定の操作アイコンと重なっている状態で、瞬きを複数回行うと、操作アイコンが選択されたものと見なされ、操作アイコンに対応付けられた所定の処理を実行するようにする。また、他にも、電子機器１の起動・停止、スリープ状態への移行・解除、音楽アプリ―ケーションにおける音楽再生の実行・停止等のＩ／Ｏ動作を実現させるための操作に割り当てられてもよい。
【００４２】
次に、目の所定動作の検出に基づいて所定の処理を実行する例について説明する。図６Ａ，図６Ｂ−１，図６Ｂ−２，図６Ｃは、電子機器１の表示部２０の表示態様の一例を示す図である。図１に示す電子機器１のように、表示部２０の形状は曲線部分を含みうるが、図６Ａ，図６Ｂ−１，図６Ｂ−２，図６Ｃでは、表示部２０の一部の領域を抜粋した長方形状の領域を表示領域２１として示している。
【００４３】
図６Ａに示す状態は、表示部２０が何も画像を表示していない状態であり、例えば、ユーザが正視状態にある場合、図５におけるパターン１に該当する。このとき、制御部５０は、検出部４０が検出する検出結果に基づいて、表示部２０の表示領域２１におけるユーザの視線位置を検出している。図６Ａにおいては、ユーザの視線位置が十字のアイコン１０１として表示されている。なお、電子機器１においては、必ずしも視線位置をユーザが視認できるように表示する必要はなく、単に視線位置を検出していれば足りる。なお、本実施例では、アイコン１０１が単に視線位置を示しているものとして説明していく。
【００４４】
ここで、ユーザの視線位置が、図６Ａに示される位置１０１にある状態から、図６Ｂ−１に示される位置１０２へ移動したことを制御部５０が推定すると、これを契機に、表示領域２１にオブジェクト２０１である第１画像が表示される。なお、図６Ｂ−１において、視線位置が移動する前の該視線位置１０１を破線で示し、視線位置が移動した後の該視線位置１０２を実線で示している。以後同様に、視線位置の移動を説明する場合には、移動前の視線位置を破線、移動後の視線位置を実線で示すことにする。制御部５０は、視線位置の移動を推定すると、該位置の移動方向を推定し、表示領域２１における、推定した方向に基づいた位置にオブジェクト２０１を表示する。図６Ｂ−１の例においては、推定した、位置１０１から位置１０２へ向かう方向である略右方向（以下、「第１方向」という。）に基づいて、表示領域２１における右方向側である第１方向側にオブジェクト２０１を表示する。
【００４５】
図６Ｂ−１において、オブジェクト２０１は、歩行案内をユーザに提供するための画像である。オブジェクト２０１には、任意の出発地点から任意の目的地点に向かう道順が示されている。オブジェクト２０１は、ユーザが進むべき方向、或いは曲がるべき曲がり角を示す矢印アイコンとこれに付随する文字情報とを含んでいる。オブジェクト２０１は、例えば、有色透明な画像上に不透明な文字が重ねられて表示されてもよいし、不透明な画像上に不透明な文字が重ねられて表示されてもよい。
【００４６】
ここで、視線位置の移動方向と、該移動方向に基づくオブジェクト２０１の表示位置と、の規定は適宜定められてよい。例えば、移動方向を左右上下の４方向に規定し、視線位置の移動ベクトル成分を４方向に分解し、該４方向の内、最も移動した成分が大きい方向に基づいて、オブジェクト２０１の表示位置を決定してもよい。なお、左右方向は、表示領域２１が長方形状の場合には下辺又は上辺に平行な方向と規定してもよいし、或いは水平方向と規定してもよいし、或いは第１表示部２０ａと第２表示部２０ｂとが並ぶ方向と規定してもよい。また、視線位置の移動方向は、方位間隔を９０°とした左右上下の４方向でなく、方位間隔を４５°とした８方向に規定されてもよい。また、表示領域２１を複数の分割された領域として規定し、該複数の領域の内、視線位置の移動方向と交わる領域にオブジェクト２０１を表示するようにしてもよい。図６Ｂ−２は、表示領域２１を５分割して規定した場合の模式図を示している。５分割された各領域は、例えば、表示領域２１の各端辺を含む４つの領域２１（ａ）〜（ｄ）と、中心部を含む領域２１（ｅ）を有している。ここで、視線位置が位置１０１から位置１０２に移動すると、該移動方向と領域２１（ａ）〜（ｄ）との交点を推定し、該交点が推定された領域にオブジェクト２０１を表示する。ここで、４つの領域２１（ａ）〜（ｄ）と視線位置の移動方向との交点は、表示領域２１の内側で推定された点を適用してもよいし、表示領域２１の外側で推定された点を適用してもよい。具体的には例えば、表示領域２１の内側で推定された点３０１を適用し、該点３０１を含む領域２１（ｂ）にオブジェクト２０１を表示してもよいし、一方で、表示領域２１の外側で推定された点３０２を適用し、点３０２を含む領域２１（ｄ）にオブジェクト２０１を表示するようにしてもよい。
【００４７】
このように、電子機器１は、ユーザの視線の移動動作を検出する検出部４０の検出結果に基づいて、表示部２０の表示領域２１におけるユーザの視線位置を推定し、該視線位置が第１方向へ移動したことを契機に、表示領域２１における第１方向側に第１画像を表示する構成を有する。従って、表示領域２１においてユーザが視認している位置の近くに有用な情報を表示させることができる。
【００４８】
再度、図６Ｂ−１を参照すると、図６Ｂ−１に示すように、オブジェクト２０１である第１画像が表示されている状態で、図６Ｃに示すように、視線位置が、オブジェクト２０１から離れる方向である位置１０２から位置１０３へ向かう方向に向かって、該オブジェクト２０１の領域から所定距離ｄ１だけ離れたことを制御部５０が推定すると、これを契機に、該オブジェクト２０１が非表示となる。なお、オブジェクト２０１が非表示となっていることを模式的に示すために、オブジェクト２０１が表示されていた領域を破線で示している。以後同様に、オブジェクト２０１が非表示となっていることを示す場合には、オブジェクト２０１が表示されていた領域を破線で示すことにする。
【００４９】
ここで、視線位置が「オブジェクト２０１から離れる方向」に移動しているか否かを、例えば、横方向である左右と縦方向である上下とを規定し、視線位置の移動ベクトル成分を横方向と縦方向とに分解したときの２つのベクトル成分に基づいて判定してもよい。例えば、視線位置の移動ベクトル成分を横方向と縦方向とに分解し、横方向への移動ベクトル成分と、縦方向への移動ベクトル成分と、の双方が、オブジェクト２０１から離れる方向を有している場合に、「オブジェクト２０１から離れる方向」と判定してよい。また、例えば、横方向への移動ベクトル成分と、縦方向への移動ベクトル成分と、の内の一方が、オブジェクト２０１から離れる方向を有している場合に、「オブジェクト２０１から離れる方向」と判定してよい。また、例えば、横方向への移動ベクトル成分と縦方向への移動ベクトル成分の内、移動距離の長い一方を採用し、該方向がオブジェクト２０１から離れる方向である場合に、「オブジェクト２０１から離れる方向」へ視線位置が移動しているものと見なしてもよい。なお、視線位置の移動方向は、方位間隔を９０°とした上下左右の４方向でなく、方位間隔を４５°とした８方向として規定されてもよいし、方向をさらに細分化してもよい。
【００５０】
ここで、ユーザの一連の視線移動における視線経路が直線的でなく曲線部分や屈曲部分を所定割合以上含む場合には、視線位置の移動方向、或いはベクトルが一定でなくなる。このような場合、例えば、視線移動が開始された点である始点と一連の視線移動が終了した点である終点とを結んだ仮想線をユーザの視線移動の方向と特定してもよい。また、例えば、一連の視線移動が推定されると、該視線移動が終了した点である終点から所定区間遡った点とを結んだ仮想線をユーザの視線移動の方向と特定してもよい。
【００５１】
また、ユーザの意図していない視線移動によってオブジェクト２０１が表示されないように、視線位置の移動を検出した後、所定時間以上、視線位置の変動が検出されなかった場合に、オブジェクト２０１を表示するようにしてもよい。
【００５２】
このように、電子機器１は、第１画像が表示された状態で、視線位置が、該第１画像から離れる方向に向かって、第１画像の領域から所定距離だけ離れたことを契機に、該第１画像を非表示にする構成を有する。このような構成を有することにより、例えば、ユーザが第１画像と他の画像、或いは表示部２０越しに視認される景色の中の所定の対象物とを見比べたい場合に、視線位置が第１画像の領域から外れて第１画像が非表示となったり、視線位置が再度第１画像の領域に近づくことで第１画像が再度表示されたり、といった繰返しがなされないため、使い勝手がよい。
【００５３】
次に、電子機器１の表示部２０の他の表示態様について説明する。図７Ａ，図７Ｂは、電子機器１の表示部２０の表示態様の他の一例を示す図である。図７Ａ，図７Ｂに示す例では、表示領域２１が破線で互いに分断される第１表示領域２１（ｆ）と第２表示領域２１（ｇ）との少なくとも二つの領域が規定されている。
【００５４】
図７Ａに示すように、制御部５０は、視線位置が第１表示領域２１（ｆ）内の位置１０１から第２表示領域２１（ｇ）内の位置１０２へ移動したことを推定し、これを契機に、第２表示領域２１（ｇ）にオブジェクト２０１である第１画像を表示させる。なお、視線位置が移動する前においては、オブジェクト２０１が表示されておらず、図６Ａに示す状態と同様となるため、図示を省略する。
【００５５】
次に、図７Ｂに示すように、オブジェクト２０１である第１画像が表示されている状態で、制御部５０は、視線位置が第２表示領域２１（ｇ）から所定距離ｄ２だけ離れたことを契機に、該オブジェクト２０１を非表示にする。
【００５６】
このように、電子機器１は、視線位置が表示領域２１の内の第１表示領域２１（ｆ）から第２表示領域２１（ｇ）へ移動したことを契機に、該第２表示領域２１（ｇ）に第１画像を表示する構成を有する。従って、表示領域２１においてユーザが視認している位置の近くに有用な情報を表示させることができる。また、電子機器１は、第１画像が表示された状態で、視線位置が第２表示領域２１（ｇ）から所定距離ｄ２だけ離れたことを契機に、該第１画像を非表示にする構成を有する。従って、視線位置が第２表示領域２１（ｇ）の範囲を超えて該第２表示領域２１（ｇ）外へ移動したのみでは第１画像が非表示となることがない。
【００５７】
次に、電子機器１の表示部２０の他の表示態様について説明する。図８Ａ，図８Ｂは、電子機器１の表示部２０の表示態様の他の一例を示す図である。図８Ａ，図８Ｂに示す例では、視線位置が入ると第１画像を表示する第１範囲と、該第１範囲を包含しかつ該第１範囲よりも大きい第２範囲と、が規定されている。第１範囲は、表示領域２１において破線で分断される２つの領域の内の右側の領域２１（ｈ）（図８Ａに図示）である。第２範囲は、表示領域２１において破線で分断される２つの領域の内の右側の領域２１（ｉ）（図８Ｂに図示）である。このように、第２範囲２１（ｉ）は、第１範囲２１（ｈ）を包含しかつ該第１範囲２１（ｈ）よりも大きい。
【００５８】
図８Ａに示すように、制御部５０は、視線位置が第１範囲２１（ｈ）外から第１範囲２１（ｈ）内へ移動したことを推定し、これを契機に、該第１範囲２１（ｈ）にオブジェクト２０１を表示させる。このような構成を有することにより、表示領域２１においてユーザが視認している位置の近くに有用な情報を表示させることができる。なお、視線位置が移動する前においては、オブジェクト２０１が表示されておらず、図６Ａに示す状態と同様となるため、図示を省略する。
【００５９】
次に、図８Ｂに示すように、オブジェクト２０１が表示されている状態で、制御部５０は、視線位置が第２範囲２１（ｉ）外へ移動したことを契機に、該オブジェクト２０１を非表示にする。このような構成を有することにより、視線位置を多少動かしても第１画像が非表示となることがない。
【００６０】
次に、電子機器１の表示部２０の他の表示態様について説明する。図９Ａ，図９Ｂは、電子機器１の表示部２０の表示態様の他の一例を示す図である。図９Ａに示すように、制御部５０は、視線位置が位置１０１から位置１０２へ移動したことを推定し、これを契機に、表示領域２１にオブジェクト２０１である第１画像が表示されている状態が示されている。なお、視線位置が移動する前においては、オブジェクト２０１が表示されておらず、図６Ａに示す状態と同様となるため、図示を省略する。
【００６１】
図９Ａにおいて、制御部５０は、視線位置が位置１０１から位置１０２へ移動する方向である第１方向に基づいて、表示領域２１における第１方向側にオブジェクト２０１を表示する。このとき、制御部５０は、視線位置の第１方向への移動距離ｄ５である第１距離を算出する。移動距離ｄ５は、例えば、視線位置の一連の移動における始点と終点とを結んだ仮想線の長さとしてよい。また、視線位置の一連の移動は、例えば、視線位置が所定時間変動しなかった状態から視線移動の推定或いは検出を開始し、移動後、視線位置が所定時間変動しなかった場合になされたものと見なしてよい。
【００６２】
次に、図９Ｂに示すように、オブジェクト２０１である第１画像が表示されている状態で、視線位置が、図９Ａにおいて移動した第１方向とは反対方向である第２方向へ、移動距離ｄ５である第１距離よりも長い移動距離ｄ６である第２距離を制御部５０が推定すると、これを契機に、該オブジェクト２０１が非表示となる。
【００６３】
また、実際の視線移動の移動方向を第１方向とするのではなく、例えば、移動方向を左右上下の４方向に規定し、実際の視線移動のベクトル成分を４方向に分解し、該４方向の内、最も移動した成分が大きい方向を第１方向と規定してもよい。即ち、図９Ａ，図９Ｂで例えると、制御部５０は、位置１０１から位置１０２への視線位置の移動ベクトルを左右上下の４方向に分解し、最も移動した成分が大きかった方向として、移動距離ｄ’５の右方向の移動成分を抽出する。一方、制御部５０は、オブジェクト２０１が表示されている状態で、視線位置の移動を推定或いは検出したときには、視線位置の移動ベクトルから、移動距離ｄ’６の左方向の移動成分を抽出する。そして、制御部５０は、移動距離ｄ’５と移動距離ｄ’６とを比較し、移動距離ｄ’６が移動距離ｄ’５よりも大きい場合にはオブジェクト２０１を非表示とする処理を行う。
【００６４】
このように、電子機器１は、視線位置が第１方向へ第１距離移動したことを契機に、表示領域２１における第１方向側に第１画像を表示する構成を有する。従って、表示領域２１においてユーザが視認している位置の近くに有用な情報を表示させることができる。また、電子機器１は、第１画像が表示された状態で、視線位置が第１方向とは反対側の第２方向へ第１距離よりも長い第２距離移動したことを契機に該第１画像を非表示にする構成を有する。従って、視線位置を動かしても第１画像が非表示となることがない。
【００６５】
次に、電子機器１の表示部２０の他の表示態様について説明する。図１０Ａ，図１０Ｂ，図１０Ｃ，図１０Ｄは、電子機器１の表示部２０の表示態様の他の一例を示す図である。図１０Ａでは、視線位置が位置１０１から位置１０２へ移動したことを制御部５０が推定し、これを契機に、表示領域２１にオブジェクト２０１である第１画像が表示されている状態が示されている。オブジェクト２０１を表示するための視線移動の条件は、上述した図６Ａ，図６Ｂ−１，図６Ｂ−２，図６Ｃ，図７Ａ，図７Ｂ，図８Ａ，図８Ｂ，図９Ａ，図９Ｂに示す例のいずれかを採用してよい。言い換えると、図１０Ａ，図１０Ｂ，図１０Ｃ，図１０Ｄに示す例は、図６Ａ，図６Ｂ−１，図６Ｂ−２，図６Ｃ，図７Ａ，図７Ｂ，図８Ａ，図８Ｂ，図９Ａ，図９Ｂに示す例のいずれかと組み合わせることができる。また、図１０Ａに示すように、オブジェクト２０１が表示された状態で、視線位置１０２は、オブジェクト２０１、例えば歩行案内をユーザに提供するための画像におけるユーザが任意に設定した出発地「○○駅」を示す表示領域２０１（ａ）に位置する。
【００６６】
次に、図１０Ｂに示すように、視線位置が、表示領域２０１（ａ）から、表示領域２０１（ｂ）、例えば曲がり角等のルート途中の案内ポイントを提示する領域へ移動すると、表示領域２０１（ｂ）の表示内容、例えば曲がり角の情報に関連して、実際の風景写真に曲がるべき方向を重畳させたオブジェクト２０２、若しくは単に地図画像である第２画像が表示される。即ち、制御部５０は、表示領域２１におけるオブジェクト２０１である第１画像の領域以外の領域に、該オブジェクト２０１である第１画像に関連するオブジェクト２０２である第２画像を表示する。
【００６７】
次に、図１０Ｃに示すように、視線位置が、表示領域２０１（ｂ）から、表示領域２０１（ｃ）、例えば表示領域２０１（ｂ）に示される案内ポイントの次の案内ポイントへ移動すると、オブジェクト２０２である第２画像の表示内容が、表示領域２０１（ｂ）に関連する内容から表示領域２０１（ｃ）に関連する内容に変更される。
【００６８】
このとき、オブジェクト２０１である第１画像において、視線位置が位置１０１から位置１０２へ移動したときの方向である第１方向と交差する方向、言い換えると図６Ｂ−１に示す例における第１方向に該当する方向、へ移動したことを契機に、オブジェクト２０２である第２画像の表示内容を変更する構成としてもよい。即ち、図６Ｂ−１に示す例のように、推定した視線位置の移動方向である、図６Ｂ−１における第１方向に基づいて、表示領域２１における右方向側である第１方向側にオブジェクト２０１を表示する場合には、第１方向と交差する方向である上下方向への視線位置の移動に基づいて、オブジェクト２０２である第２画像の表示内容を変更する構成としてよい。このような構成により、オブジェクト２０１である第１画像を表示させるための視線移動によって、オブジェクト２０２である第２画像の表示内容が誤って変更されてしまわずに済む。
【００６９】
なお、必ずしも、視線動作によってオブジェクト２０２である第２画像の表示内容を変更する構成である必要はない。例えば、オブジェクト２０２である第２画像が表示されている状態で、前述した操作部３０に対する所定の接触操作に応じてオブジェクト２０２である第２画像の表示内容を変更される構成であってもよい。
【００７０】
ここで、上述した図６Ｃに示す例の、視線位置が、オブジェクト２０１である第１画像から離れる方向に向かって、第１画像の領域から所定距離ｄ１だけ離れたことを契機に、該第１画像を非表示とする構成における、「所定距離」は、オブジェクト２０２である第２画像の大きさに基づいて設定されてもよい。
【００７１】
また、図７Ａに示す例の、視線位置が、表示領域２１の内の第１表示領域２１（ｆ）から第２表示領域２１（ｇ）へ移動したことを契機に、該第２表示領域２１（ｇ）にオブジェクト２０１である第１画像を表示し、図７Ｂに示す例の、視線位置が第２表示領域２１（ｇ）から所定距離ｄ２だけ離れたことを契機に、該第１画像を非表示とする構成における、「所定距離」は、オブジェクト２０２である第２画像の大きさに基づいて設定されてもよい。
【００７２】
例えば、図１０Ｄに示すように、視線位置が、オブジェクト２０２である第２画像を超えてオブジェクト２０１である第１画像から遠ざかる位置に移動する程度の長さを所定距離ｄ７として設定してよい。
【００７３】
また、所定距離は、オブジェクト２０２である第２画像として表示される表示内容に応じて変更されてもよい。例えば、オブジェクト２０２である第２画像の表示内容が文字情報を所定割合以上含む場合に、文字情報を所定割合未満しか含まない場合と比較して、長く設定されるようにしてもよい。ユーザがオブジェクト２０２である第２画像を視認する場合、オブジェクト２０２である第２画像が、文字情報を含まないイメージのみであれば、該イメージにおける、オブジェクト２０１である第１画像に近い一部のみを視ても概要を把握することができる。言い換えると、このような場合、短距離の視線移動で概要を把握することができる。そして、オブジェクト２０２である第２画像の一部を視認し、オブジェクト２０２が所望とする表示内容であれば、ユーザは、視線をオブジェクト２０１である第１画像に戻し、次いで、例えば、複数回の瞬き、図５におけるパターン４を行うことで、オブジェクト２０２の表示内容の選択決定、或いは、オブジェクト２０２の表示の維持等を実行させてもよい。一方、オブジェクト２０２である第２画像が、文字情報を含むものであれば、概要を把握するためにより広範囲の視線移動を要するかもしれない。言い換えると、概要を把握するために長距離の視線移動が求められる。この場合、仮に、オブジェクト２０１である第１画像を非表示とするために要する視線移動距離の所定距離が短いと、オブジェクト２０２である第２画像の概要を把握しようと視線を移動させることによって、オブジェクト２０１である第１画像が非表示となってしまい、結果、煩わしい操作となってしまうかもしれない。
【００７４】
このように、オブジェクト２０２である第２画像の表示内容が文字情報を含むか否か、或いは文字情報がどの程度の割合で含まれるのかによって、オブジェクト２０１である第１画像を非表示とするために要する適切な視線移動距離の所定距離が異なる可能性がある。これに対し電子機器１では、オブジェクト２０２である第２画像の表示内容が文字情報を含むか否か、或いは文字情報がどの程度の割合で含まれるのかによって、オブジェクト２０１である第１画像を非表示とするために要する視線移動距離を適宜変更してもよい。従って、ユーザにとって煩わしさが感じさせない視線移動操作を実現することができる。
【００７５】
また、所定距離は、ユーザによって設定可能であってもよい。
【００７６】
以上に、本出願を諸図面や実施形態に基づき説明してきたが、本出願はこれに限定されない。例えば、電子機器は、表示部と、ユーザの視線の移動動作を検出する検出部と、前記検出部の検出結果に基づいて、前記表示部の表示領域におけるユーザの視線位置を推定する制御部と、を備え、前記制御部は、前記視線位置が所定方向へ移動したことを契機に、前記表示領域における前記所定方向側に第１画像を表示するものであってよい。また、前記第１画像の領域が前記表示部の表示領域に対して占める割合が所定値未満の場合、前記視線位置が該第１画像の領域から所定距離だけ離れたことを契機に、該第１画像を非表示にするものであってよい。また、前記第１画像の領域が前記表示部の表示領域に対して占める割合が所定値以上の場合、前記視線位置が該第１画像の領域内から領域外へ移動したことを契機に、該第１画像を非表示にするものであってもよい。
【００７７】
ここで、前記第１画像の領域が前記表示部の表示領域に対して占める割合が所定値以上の場合とは、例えば、前記第１画像の領域が前記表示部の表示領域に対して占める割合が５０％以上でありかつ前記表示領域の中心領域を含んでいる場合である。
【００７８】
また、上記の実施例では、視線位置の移動に基づいて、第１画像の表示を行う構成を説明してきたが、このような構成に限定されず、例えば、外部装置との通信によって所定の情報を受信したことを契機に、該情報に関連する第１画像を表示する構成であってよい。また、第１画像は、常時表示されるものであってもよい。
【００７９】
また、上記の実施例では、視線位置の移動に基づいて第１画像を非表示にする構成を説明してきた。なお、本明細書で開示される電子機器１では、このような構成に加えて、第１画像が表示されてから所定時間後に該第１画像を非表示にする構成をさらに有していてもよい。
【００８０】
本出願を諸図面や実施形態に基づき説明してきたが、当業者であれば本開示に基づき種々の変形や修正を行うことが容易であることに注意されたい。従って、これらの変形や修正は本出願の範囲に含まれることに留意されたい。さらに、本明細書において開示される全ての技術的事項は、矛盾しないように再配置可能であり、複数の構成部を１つに組み合わせたり、或いは分割したりすることが可能である。
【００８１】
上記の実施形態では、電子機器１が、眼鏡形状或いはゴーグル形状のような形状を有する例を示してきたが、電子機器１の形状はこれに限定されない。例えば、電子機器１は、図１１Ａに示すように、ユーザの頭部のほぼ上半分を覆うようなヘルメットタイプの形状を有していてもよい。或いは、電子機器１は、図１１Ｂに示すように、ユーザの顔面のほぼ全体を覆うようなマスクタイプの形状を有していてもよい。
【００８２】
また、上記の実施形態では、表示部２０がユーザの左右の目の前に設けられる一対の表示部２０ａ、２０ｂを有している構成を例示してきたが、これに限定されず、表示部２０は、ユーザの左右の目の内の一方の前に設けられる一つの表示部を有している構成であってもよい。
【００８３】
また、上記の実施形態では、正面部の縁部が、表示部２０の表示領域２１の縁の全周を囲っている構成を例示してきたが、これに限定されず、表示部２０の表示領域２１の縁の一部のみを囲っている構成であってもよい。
【符号の説明】
【００８４】
１    電子機器
１０  装着部
１１  正面部
１２  側面部
１３  側面部
２０  表示部
３０  操作部
４０  検出部
５０  制御部
６０  記憶部
７０  通信部
【図１】
2016121883.tif 000003
【図２】
2016121883.tif 000004
【図３】
2016121883.tif 000005
【図４】
2016121883.tif 000006
【図５】
2016121883.tif 000007
【図６Ａ】
2016121883.tif 000008
【図６Ｂ−１】
2016121883.tif 000009
【図６Ｂ−２】
2016121883.tif 000010
【図６Ｃ】
2016121883.tif 000011
【図７Ａ】
2016121883.tif 000012
【図７Ｂ】
2016121883.tif 000013
【図８Ａ】
2016121883.tif 000014
【図８Ｂ】
2016121883.tif 000015
【図９Ａ】
2016121883.tif 000016
【図９Ｂ】
2016121883.tif 000017
【図１０Ａ】
2016121883.tif 000018
【図１０Ｂ】
2016121883.tif 000019
【図１０Ｃ】
2016121883.tif 000020
【図１０Ｄ】
2016121883.tif 000021
【図１１Ａ】
2016121883.tif 000022
【図１１Ｂ】
2016121883.tif 000023
【国際調査報告】
2016121883.tif 000024
2016121883.tif 000025
2016121883.tif 000026
2016121883.tif 000027